(57)【要約】【課題】遊技盤に何らかの衝撃が加わったとしても、破損等する虞のない弾球遊技機を提供する。【解決手段】遊技機本体２と、該遊技機本体２に着脱可能に装着される遊技盤１８とを備え、該遊技盤１８は、遊技盤ベース１９に、始動口１２や大入賞口１３等および多数の遊技釘１７などの各種遊技部材２０を配設してなり、該遊技盤１８は外周２５ａ〜２５ｄの全域にゴムなどの弾性部材からなる保護部材２４を備え、該保護部材２４は、遊技盤１８の奥行き方向幅Ｗ１よりも突出していることを特徴とする弾球遊技機とした。【選択図】    図１
2005125073.tif 000002
【特許請求の範囲】
【請求項１】
遊技盤ベースに各種遊技部材を配設してなる遊技盤が遊技機本体に装着され、
該遊技盤は、外周の少なくとも一部に保護部材を備えたことを特徴とする弾球遊技機。
【請求項２】
保護部材は、遊技盤の奥行き方向幅よりも突出していることを特徴とする請求項１に記載の弾球遊技機。
【請求項３】
保護部材は、遊技盤の外周の全域に備えたことを特徴とする請求項１又は２に記載の弾球遊技機。
【請求項４】
保護部材は、遊技盤のコーナー部分に備えたことを特徴とする請求項１又は２に記載の弾球遊技機。
【請求項５】
保護部材と遊技盤とは、嵌合構造をもって固定されていることを特徴とする請求項１乃至４のいずれかに記載の弾球遊技機。
【請求項６】
嵌合構造は、保護部材に凹部を設け、該凹部に遊技盤の外周を嵌め込んで固定することを特徴とする請求項５に記載の弾球遊技機。
【請求項７】
保護部材は、外部からの衝撃を吸収する弾性部材であることを特徴とする請求項１乃至６のいずれかに記載の弾球遊技機。
【発明の詳細な説明】
【技術分野】
【０００１】
本発明は、遊技盤ベースに各種遊技部材を配設した遊技盤を遊技機本体に装着した弾球遊技機に関する。
【背景技術】
【０００２】
従来の弾球遊技機、いわゆるパチンコ機では、例えば木製や光透過性（以下、透光性ともいう。）を有する合成樹脂製の遊技盤ベースと、該遊技盤ベースに取り付けられる各種遊技部材、例えば表示装置の変動表示を起動すると共に、大当たりとするか否かの抽選処理を起動するチューリップ式の普通電動役物からなる始動口や、大当たり時に開放するアタッカと称する第一種特別電動役物の大入賞口等、および多数の遊技釘などにより遊技盤が構成され、該遊技盤を遊技機本体に対して着脱可能に取り付ける仕組みとなっている（例えば特許文献１参照。）。
【特許文献１】特許第３１１４９６８号公報
【発明の開示】
【発明が解決しようとする課題】
【０００３】
しかし、上記特許文献１の弾球遊技機を含め従来の弾球遊技機では、遊技盤の外周が剥き出しであったため、遊技機組立て段階や遊技盤の交換段階等において、遊技盤を遊技機本体に着脱する際に、誤って遊技盤を落下させてしまったり、あるいは遊技機本体に衝突させたりしてしまうと、その衝撃は直接遊技盤に掛かってしまうため、遊技盤の端部などが破損（欠け）したり、遊技盤に傷をつけてしまう虞があった。
本発明は、このような問題を解決するためになされており、その目的とするところは、遊技盤に何らかの衝撃が加わったとしても、破損等する虞のない弾球遊技機を提供することにある。
【課題を解決するための手段】
【０００４】
このような目的を達成するために、第１の発明は、遊技盤ベース１９に各種遊技部材２０を配設してなる遊技盤１８が遊技機本体２に装着され、該遊技盤１８は、外周２３ａ〜２３ｄの少なくとも一部に保護部材２４を備えたことを特徴とする弾球遊技機としたことである。
本発明によれば遊技盤１８の外周２３ａ〜２３ｄが保護部材２４により保護されているため、遊技機本体１への着脱時に遊技盤１８を誤って落下させてしまったり、あるいは遊技機本体１に接触させてしまったとしても、遊技盤１８を損傷したりする虞がない。
また、上述の通り遊技盤１８の損傷が防げるため、傷やひびなどからくる盤面の曇りなども生じない。
【０００５】
第２の発明は、第１の発明において、保護部材２４は、遊技盤１８の奥行き方向幅Ｗ１よりも突出していることを特徴とする弾球遊技機としたことである。
本発明によれば、遊技盤１８が誤って落下したり、遊技機本体１などに接触したりしたとしても、遊技盤１８の奥行き方向幅Ｗ１よりも突出している保護部材２４が床面や遊技機本体１と接触する確率が高いので、遊技盤１８に損傷を与える虞はない。
【０００６】
第３の発明は、第１又は第２の発明において、保護部材２４は、遊技盤１８の外周２３ａ〜２３ｄの全域に備えたことを特徴とする弾球遊技機としたことである。
本発明によれば、保護部材２４が遊技盤１８を補強することともなり、例えば遊技釘１７の調整作業の際であっても遊技盤１８が損傷する虞がない。
また、万が一、遊技盤１８に外部から熱が伝わったとしても、遊技盤１８の外周全域にて保護部材２４が補強しているため変形などを招く虞もない。
【０００７】
第４の発明は、第１又は第２の発明において、保護部材２４は、遊技盤１８のコーナー部分２３ｅに備えたことを特徴とする弾球遊技機としたことである。
遊技盤１８を誤って落下させてしまった場合、最初に床面などに当たるのは遊技盤１８のコーナー部分２３ｅである可能性が高いので、必要最低限の保護部材の使用で落下などの衝撃から遊技盤１８を保護することができ、かつ遊技機全体のコストを抑えることにもなる。
【０００８】
第５の発明は、第１乃至第４のいずれかの発明において、保護部材２４と遊技盤１８とは、嵌合構造をもって固定されていることを特徴とする弾球遊技機としたことである。
本発明によれば、遊技盤１８と保護部材２４との高い密着性が得られ、特に必要部品を備えなくとも安定した固定が実現できる。
【０００９】
第６の発明は、第５の発明において、嵌合構造は、保護部材２４に凹部２６を設け、該凹部２６に遊技盤１８の外周２３ａ〜２３ｄを嵌め込んで固定することを特徴とする弾球遊技機としたことである。
本発明によれば、保護部材２４の凹部２６に遊技盤１８の外周２３ａ〜２３ｄを嵌め込むだけで遊技盤１８の外周２３ａ〜２３ｄに簡単にかつ確実に保護部材２４を取り付けることができる。
【００１０】
第７の発明は、第１乃至第６のいずれかの発明において、保護部材２４は、外部からの衝撃を吸収する弾性部材であることを特徴とする弾球遊技機としたことである。
本発明によれば、外部からの衝撃を保護部材２４が吸収するので、遊技盤１８に掛かる衝撃を緩和させて遊技盤１８の損傷を防ぐことができる。
また、本発明によれば、保護部材２４として弾性部材を用いたので、例えば遊技機本体２への取り付け作業の時、遊技盤１８を保護することはもとより、遊技機本体２の保護をも図ることができる。
【発明の効果】
【００１１】
本発明によれば、保護部材により遊技盤の外周が保護されているため、遊技機本体への着脱時に遊技盤を誤って落下させてしまったり、あるいは遊技機本体に接触させてしまったとしても、遊技盤を損傷したりする虞がない。
【発明を実施するための最良の形態】
【００１２】
以下、本発明の弾球遊技機を実施するための最良の一実施形態について説明する。
実施例１では、遊技盤１８の外周全域に保護部材２４を備えた実施の一例、実施例２乃至６は、遊技盤１８の外周の少なくとも一部に保護部材２４を備えた実施の一例を夫々示す。
なお、以下に説明する実施例は本発明の一例にすぎず何等これに限定解釈されるものではなく、本発明の範囲内で設計変更可能である。
また、本発明遊技機の全体構成は、実施例１乃至実施例６において共通するため、実施例１の説明を実施例２乃至実施例６に援用し、夫々の実施例２乃至実施例６ではその特徴的な構成の説明に留めるものとする。
【実施例１】
【００１３】
図１は、本発明を適用した弾球遊技機（パチンコ機ともいう）の一例であり、遊技枠１に遊技機本体２を開閉可能に支持している。
遊技機本体２の前面上部には、ガラス板４を嵌めたフロント扉３を有し、その内方に遊技盤ベース１９に各種遊技部材２０を備えた遊技盤１８を備える。遊技機本体２の前面下部には、貸球及び賞球を受け止める上皿５、上皿５満杯時に球出口の内方で溢れた球を受け止める下皿６、そして発射装置のハンドル７を備える。ハンドル７のレバー７ａを時計方向に回転させることにより、内蔵する発射ソレノイドを作動させて遊技球を遊技領域Ａに打ち出す。
上皿５には、効果音やＢＧＭ、エラー音などを出力するステレオ式のスピーカ１０を内蔵すると共に、遊技機に隣接して設置される図示しないＣＲカードユニットから球貸し等するための操作スイッチ１１を備える。
そして、遊技枠１の内枠セット８側には、液晶表示装置などの表示装置９が配設されている。なお、遊技盤ベース１９の裏側には図示しない主制御基板などが配設されている。
また、本実施例では、液晶表示装置９により、例えば、正面から見て、横方向の三列にわたって数字、記号等の特別図柄（左特別図柄・中特別図柄・右特別図柄）を変動表示させたり、演出表示等を行ったりする弾球遊技機をもってその一例を説明するが、本発明はこれに限定されず、このような表示装置以外の表示装置を備える弾球遊技機、あるいは表示装置を備えない弾球遊技機など、弾球遊技機全般にわたって適用可能である。
また、投影機からの動画又は静止画を、反射板で屈折して表示させる投影型画像表示装置を用いる遊技機も対象である。
【００１４】
遊技盤１８は、遊技盤ベース１９と、該遊技盤ベース１９に備えられる各種遊技部材２０とで構成され、その外周の全域２３ａ〜２３ｄを保護部材２４によって覆っている。
【００１５】
遊技盤ベース１９は、本実施例では、その後方に大型の表示装置９を備え、その表示領域Ｂを遊技盤ベース１９に大きく確保するため、その遊技盤ベース１９全体を透光性部材で形成するが、これに限らず、透光性部材で形成した領域を少なくとも一部に有するものであってもよい。
なお、本発明で適用される遊技盤ベース１９は、透光性部材からなる遊技盤ベース１９の裏面側の所望箇所に化粧パネルを取り付けて遊技盤ベース１９の装飾を図るものや、例えば表示領域Ｂにあたる部分のみを透光性部材で形成し、その他の領域を木製部材で形成してなるものや、全体を木製部材で形成するもの、あるいは全体を透光性部材とすると共に、その中心部分に表示領域Ｂとしての透光性部分を残してその周囲（裏面側）を着色塗装して非透過としたものなど種々の遊技盤ベース構成が本発明の範囲内で任意に適用可能である。
【００１６】
遊技盤ベース１９を形成する透光性部材は、例えば遊技部材２０を固定でき、かつ、容易に変形（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂、ポリアリレート樹脂などが任意に選択される。
本実施例において遊技盤ベース１９の全体を構成する透光性部材は無色透明とするが、有色透明部材を採用することも可能である。また仕様によっては遊技盤ベース１９を無色透明部材と有色透明部材とで構成したり、遊技盤ベース１９に色彩・模様を施すことも可能である。この場合、模様は無色透明の線図が好ましいが、遊技盤ベース１９裏面側に配設される表示装置９の構成によっては有色模様を施すことも可能で本発明の範囲内である。
【００１７】
遊技部材２０は、弾球遊技機において遊技に必要な全ての部材を言い、例えば、遊技領域Ａを区画すると共に、該遊技領域Ａに発射ソレノイドから打ち出される発射球を導くガイドレール２１、遊技領域Ａに打ち出された遊技球が当たり、遊技球の流下方向を転動案内する遊技球誘導部材２２、前記特別図柄表示装置の変動表示を起動すると共に、大当たりとするか否かの抽選処理を起動するチューリップ式の普通電動役物からなる始動口１２、大当たり時に開放するアタッカと称する第一種特別電動役物の大入賞口１３、一般入賞口となる左右の入賞口１４、遊技領域での入賞を逃したアウト球を排出するアウト口１６、遊技盤ベース１９に打たれている多数の遊技釘１７などが一例として挙げられる。
【００１８】
保護部材２４は、例えば本実施例によれば、遊技盤１８の奥行き方向幅Ｗ１よりも大きい幅Ｗ２を有する４片の平板状部材２５ａ〜２５ｄからなる短尺角筒状に形成され、夫々の４片の平板状部材２５ａ〜２５ｄが、正面視略矩形状の遊技盤ベース１９の外周２３ａ〜２３ｄの４面を覆うように固着されている。
【００１９】
本実施例において保護部材２４は、ゴムなどの弾性部材とする。
このように、ゴムなどの弾性部材にて保護部材２４を構成すれば、外部からの衝撃を保護部材２４が吸収するので、遊技盤１８に掛かる衝撃を緩和させて遊技盤１８の損傷を防ぐことができる。また、本発明によれば、保護部材２４として弾性部材を用いたので、例えば遊技機本体２への取り付け作業の時、遊技盤１８を保護することはもとより、遊技機本体２の保護をも図ることができる。
【００２０】
なお、本実施例では上述の通りゴムなどの弾性部材を用いたが、遊技盤１８を保護することに着目すれば、特にその保護部材２４の材質は限定解釈されるものではなく、例えば、合成樹脂材、金属、セラミックス、木材など本発明の範囲内で適宜最適な材質からなるものに設計変更可能である。
【００２１】
保護部材２４は、その奥行き方向幅Ｗ２が、少なくとも遊技盤１８の奥行き方向幅Ｗ１よりも大きく形成されているものとすれば、その形状（外観形状や肉厚など）は特に限定されず遊技機本体２に装着可能な範囲で適宜設計変更可能である。
また、本実施例では正面視略矩形状の遊技盤１８を一例としているため保護部材２４を４片の平板状部材２５ａ〜２５ｄからなる構成としているが、遊技盤１８形状が他の形状、例えば正面視円形状などであった場合にはその外周にあった円環状の部材からなる構成とすることも可能である。
なお、図面では保護部材２４の概略を表しており、実際には発射装置から発射された遊技球の通過領域が下片の平板状部材２５ｂの一部に形成されているがここではその記載を省略している。
【００２２】
本実施例では、４片の平板状部材２５ａ〜２５ｄが連続して短尺角筒形状の保護部材２４を形成しているが、これら４片の平板状部材２５ａ〜２５ｄは、夫々が独立しているものであってもよく、また隣り合う任意の平板状部材２５ａ〜２５ｄが、蝶番などの所定の連結部材を介して揺動可能に連結されているものであってもよい。
また、保護部材２４は、所定形状の複数個の部材からなり、これら複数個の部材は、夫々が遊技盤１８の外周２３ａ〜２３ｄに嵌合若しくは接着あるいは溶着などによって固着されているものとすることもでき本発明の範囲内である。
【００２３】
本実施例では、保護部材２４と遊技盤１８とは、所定の嵌合構造をもって固定されているものとしている。
本実施例では、保護部材２４を構成している４片の平板状部材２５ａ〜２５ｄの夫々の内面長さ方向Ｌに、所定深さの凹条部（凹条溝）２６が４片にわたって連続して形成されており、遊技盤１８の外周２３ａ〜２３ｄが前記凹条部２６に嵌り合うことで両者の密着性を向上させている。
【００２４】
本実施例では、４片の平板状部材２５ａ〜２５ｄの全てが、遊技盤１８の外周２３ａ〜２３ｄの４面の全てと嵌合する構造としているが、少なくとも１片、若しくは２片以上、あるいは対向する２片（上片と下片、左片と右片）に嵌合構造を有しているものとしてもよく本発明の範囲内である。
また、図示はしないが、例えば遊技盤１８の外周の周方向に突部を断続して形成する構成を採用した場合、保護部材２４の内面には、前記遊技盤１８の外周の突部が嵌り合う凹部が断続して形成されるものとすることができる。
なお、本実施例では、このように嵌合構造をもって遊技盤１８と保護部材２４の両者の固着を図っているが、特に嵌合構造を有しないものでもよい。例えば接着剤などを介して遊技盤１８の外周に保護部材２４を固着するものとしたり、あるいは遊技盤１８の外周に直接ゴムなどの弾性部材を溶着して保護部材２４を形成することも可能である。
【００２５】
「変形例」
図２は、実施例１の変形例で、遊技盤１８と保護部材２４との嵌合構造の他の実施例について示す。
すなわち、図２に示す変形例では、保護部材２４の内面に連続した突条部２７を備えると共に、該突条部２７が嵌り合う連続した凹条部２８を遊技盤１８の外周２３ａ〜２３ｄに備え、該突条部２７と凹条部２８との嵌合構造を採用することで遊技盤１８と保護部材２４との固着を図っている。
その他の構成及び作用効果は上述した図１の実施例１と同様であるためここでの説明は省略する。
【実施例２】
【００２６】
図３は本発明の実施例２を示し、本実施例では、夫々遊技盤１８の奥行き方向幅Ｗ１よりも大きい幅W２を有する２片の平板状部材２５ｃ，２５ｄにより保護部材２４が形成され、夫々の２片の平板状部材２５ｃ，２５ｄが、正面視略矩形状の遊技盤１８における左右の外周２３ｃ，２３ｄの夫々の全域を覆うように固着されている実施の一例である。
その他の構成及び作用効果は、実施例１と同様であるため実施例１の説明を援用し、ここでの説明は省略する。
【実施例３】
【００２７】
図４は本発明の実施例３を示し、本実施例にあっては、保護部材２４は、夫々遊技盤１８の奥行き方向幅Ｗ１よりも大きい幅Ｗ２を有する短尺状の部材からなり、遊技盤１８外周の４箇所のコーナー部２３ｅを夫々覆うように固着されている実施の一例である。
本実施例の保護部材２４は、断面視略Ｌ字形状の凹部３０が形成されており、この凹部３０に遊技盤１８外周のコーナー部２３ｅが嵌り合うことにより固着されている。
すなわち、遊技盤１８を誤って落下させてしまった場合、最初に床面などに当たるのは遊技盤１８のコーナー部２３ｅである可能性が高いので、必要最低限の保護部材２４の使用で落下などの衝撃から遊技盤１８を保護することができる。
なお、図示形状の保護部材２４は単に本実施例の一例であって、図示例よりも遊技盤１８の奥行き方向にさらに長尺状に形成されているものであってもよく、また遊技盤１８外周の周方向にさらに長く形成されているものであってもよい。
その他の構成及び作用効果は、実施例１と同様であるため実施例１の説明を援用し、ここでの説明は省略する。
【実施例４】
【００２８】
図５は本発明の実施例４を示し、本実施例にあっては、遊技盤１８の正面１８ａ側の外周周縁２３ｆ〜２３ｉ全域と、背面１８ｂ側の外周周縁２３ｊ〜２３ｍ全域のみを夫々覆うように保護部材２４が固着されている実施の一例である。
前記正面１８ａ側の保護部材２４は、遊技盤１８の正面１８ａよりも前方に突出しており、かつ上下方向及び左右方向にも夫々突出している。また前記背面１８ｂ側の保護部材２４も、遊技盤１８の背面１８ｂよりも後方に突出しており、かつ上下方向及び左右方向にも夫々突出している。
本実施例の保護部材２４にあっては、夫々断面視略Ｌ字形状の連続した凹部３１が形成されており、この凹部３１に遊技盤１８外周の周縁２３ｆ〜２３ｉ，２３ｊ〜２３ｍが嵌り合うことにより固着されている。
なお、図示形状の保護部材２４は単に本実施例の一例であって、図示例よりも遊技盤１８の奥行き方向（正面前方・背面後方）にさらに長尺状に突出形成されているものであってもよく、また上下方向や左右方向にさらに長く突出形成されているものであってもよい。
その他の構成及び作用効果は、実施例１と同様であるため実施例１の説明を援用し、ここでの説明は省略する。
【実施例５】
【００２９】
図６は本発明の実施例５を示し、本実施例にあっては、遊技盤１８の正面１８ａ側の左右の外周周縁２３ｈ，２３ｉと、背面１８ｂ側の左右の外周周縁２３ｌ，２３ｍのみを夫々覆うように保護部材２４が固着されている実施の一例である。
前記正面１８ａ側の左右保護部材２４は、遊技盤１８の正面１８ａよりも前方に突出しており、かつ上下方向及び左右方向にも夫々突出している。また前記背面１８ｂ側の左右保護部材２４は、遊技盤１８の背面１８ｂよりも後方に突出しており、かつ上下方向及び左右方向にも夫々突出している。
本実施例の保護部材２４にあっては、夫々断面視略Ｌ字形状の連続した凹部３１が形成されており、この凹部３１に遊技盤１８の外周周縁２３ｈ・２３ｉ，２３ｌ・２３ｍが嵌り合うことにより固着されている。
なお、図示形状の保護部材２４は単に本実施例の一例であって、図示例よりも遊技盤１８の奥行き方向（正面前方・背面後方）にさらに長尺状に突出形成されているものであってもよく、また上下方向や左右方向にさらに長く突出形成されているものであってもよい。
その他の構成及び作用効果は、実施例１と同様であるため実施例１の説明を援用し、ここでの説明は省略する。
【図面の簡単な説明】
【００３０】
【図１】本発明弾球遊技機の実施例１を示す開扉状態の概略斜視図。
【図２】実施例１の変形例の一部を示す概略断面図。
【図３】実施例２を示す概略斜視図。
【図４】実施例３を示す概略斜視図。
【図５】実施例４を示す概略斜視図。
【図６】実施例５を示す概略斜視図。
【符号の説明】
【００３１】
２  遊技機本体
１８  遊技盤
１９  遊技盤ベース
２０  遊技部材
２３ａ〜２３ｄ  遊技盤の外周
２３ｅ  コーナー部
２３ｆ〜２３ｍ  遊技盤の外周周縁
２４  保護部材
２５ａ〜２５ｄ  平板状部材
Ｗ１  遊技盤の奥行き方向幅
Ｗ２  保護部材の幅
【図１】
2005125073.tif 000003
【図２】
2005125073.tif 000004
【図３】
2005125073.tif 000005
【図４】
2005125073.tif 000006
【図５】
2005125073.tif 000007
【図６】
2005125073.tif 000008